(57)【特許請求の範囲】
【請求項１】
外套の袖部又は裾部を形成し、外套本体に対して連結具により取外し自在に結合され、内部に空気を挿入する空気挿入口を備え、外套から取外された状態で空気を挿入して使用することを特徴とする空気枕。
【請求項２】
請求項１に記載の空気枕であって、前記外套の袖部又は裾部は、外套本体から取り外された状態で袖部又は裾部の両端部同士が円環形成具により結合されて円環を形成することを特徴とする空気枕。
【請求項３】
請求項２に記載の空気枕であって、前記外套の袖部の袖口には、袖口を絞るための絞り固定具が設けられることを特徴とする空気枕。
【請求項４】
請求項１乃至３のいずれか１項に記載の空気枕であって、前記取外された外套の一部分は、両袖部のそれぞれ一部分であり、取外した両袖のそれぞれの一部分は、円環形成具により、一方の袖部の片方の端部が他方の袖部の片方の端部にそれぞれ結合されて円環を形成することを特徴とする空気枕。
【請求項５】
請求項１乃至４のいずれか１項に記載の空気枕を備えることを特徴とする空気枕付き外套。
【発明の詳細な説明】
【技術分野】
【０００１】
本発明は、空気枕及び空気枕付き外套に係り、特に、エアークッションにより頭部などを保持する空気枕、及び外套本体に空気枕が備えられた空気枕付き外套に関する。なお、「外套」とは防寒などのために着る外衣をいい、「オーバーコート」、「オーバー」或いは「コート」ともいう。また、本発明では「外套」には、例えば、ダウンジャケット、ジャンパー、トレンチコートなどが含まれる。
【背景技術】
【０００２】
例えば国内外への旅行や出張の際に利用する航空機や遠距離列車などの乗物において、乗客が睡眠又は仮眠をする際に使用され、頭部または腰部等を固定するエアークッションが提案されている。
【０００３】
例えば、特許文献１には、空気により膨らむエアークッションが開示されている。ここでは、その左右両耳部の内側に、左右一対で「ハ」の字状の切込み開口部が設けられる。これにより、枕の内部に空気を充填すると、その「ハ」の字状の切込み開口部と充填された空気圧との関係から、枕の左右両耳部が切込み開口部の位置より折れ曲がって立ち上がる。そして、この立ち上がった左右両耳部によってエアークッションの利用者の頭部が固定されることが記載されている。
【０００４】
また、例えば、航空機や遠距離列車などの乗物において、機内や車内のエアコンディショニングの利き過ぎにより襟元や手足が冷えて就寝できない場合がある。この際に、襟元や手足を温めることにより心地よい睡眠ができるマフラーが提案されている。
【０００５】
例えば、特許文献２には、軽量且つ保温性に優れた繊維地を幅１０〜１２ｃｍ程度であり、長さ６０〜９０ｃｍ程度の帯状に縫製したマフラー本体と、このマフラー本体の一端側において他端側を保持してこのマフラー本体を襟元に密着させるための保持手段を設けることが記載されている。
【先行技術文献】
【特許文献】
【０００６】
【特許文献１】特開２００１−１２８８２６号公報
【特許文献２】特開２００５−３２３９６６号公報
【発明の概要】
【発明が解決しようとする課題】
【０００７】
例えば、国内外への旅行や出張の際に航空機や遠距離列車などを利用し、座席で睡眠又は仮眠をとる場合に、枕があれば頭が適切に保持されてより快眠が得られる場合がある。しかし、旅行や出張の際にわざわざ枕を持参すると旅行鞄が嵩張ってしまうという問題がある。また航空機の場合には枕を乗車の際に手荷持として持ち込まなければならないという問題がある。
【０００８】
また、例えば、国内外への旅行や出張の際に航空機や遠距離列車などを利用する際に、機内や車内のエアコンディショニングの利き過ぎにより襟元や手足が冷えて就寝できない場合がある。しかし、旅行や出張の際にわざわざマフラーや毛布を持参するには旅行鞄が嵩張ってしまうという問題がある。また航空機の場合にはマフラーや毛布を乗車の際に手荷持として持ち込まなければならないという問題がある。
【０００９】
一方、冬季の旅行や出張には、防寒着として、例えばダウンジャケットなどの外套の持参が必須となる場合がある。これは、ダウンジャケットなどの外套は防寒性が高くて冬季の気象変化に対して柔軟に対応可能であり、且つ重量が軽くて持ち運びに便利なためである。しかし、ダウンジャケットなどの外套は、エアークッションにより防寒性と軽量性を確保しているもののエアークッションという機能により収納の際の容量が大きくなり、旅行鞄が嵩張るという問題がある。
【００１０】
本願の目的は、係る課題を解決し、旅行や出張などの移動の際に持ち運び易く、エアークッションにより頭部などを容易に保持できる空気枕、及び当該空気枕を備えた外套を提供することである。
【課題を解決するための手段】
【００１７】
また、上記目的を達成するため、本発明に係る空気枕は、外套の袖部又は裾部を形成し、外套本体に対して連結具により取外し自在に結合され、内部に空気を挿入する空気挿入口を備え、外套から取外された状態で空気を挿入して使用することを特徴とする。
【００１８】
上記構成により、空気枕は、外套の一部として袖部又は裾部を活用し、それらを連結具により外套から取外して両端部を結合させ、携帯用の空気枕として使い勝手の良い円環状の空気枕とすることができる。例えば、外套の袖部又は裾部を空気枕に使用することで、頭部以外の腰部や膝部などに巻き付けることができる。また、襟部、袖部又は裾部を連結させてより長い空気枕とすることもできる。
【００１９】
また、外套の襟部だけではなく外套の一部分を形成する袖部又は裾部のいずれかを活用することで、各部位の特徴を生かし、本発明に係る空気枕に対して幅、長さ、厚みなどのバリエーションを設けることができる。
【００２０】
また、空気枕は、外套の袖部又は裾部が外套本体から取外された状態で袖部又は裾部の両端部同士が円環形成具により結合されて円環を形成することが好ましい。これにより、袖部又は裾部を円環状にして首周りに巻き付け、襟元から体内の熱が逃げるのを防止し、体を温めて就寝することができる。また、頭部以外の腰部や膝部などに巻き付け、クッション材や保温材として使用することもできる。
【００２１】
また、空気枕は、外套の袖部の袖口には、袖口を絞るための絞り固定具が設けられることが好ましい。これにより、袖部の袖口の大きさを袖部の肩口に合わせて製作しておき、袖部の両端部同士が円環形成具により適切に結合されて円環を形成する。そして、袖部を外套の一部として使用する際には、絞り固定具により袖口を絞って使用することができる。
【００２２】
また、空気枕は、取外された外套の一部分は、両袖部のそれぞれ一部分であり、取外した両袖のそれぞれの一部分は、円環形成具により、一方の袖部の片方の端部が他方の袖部の片方の端部にそれぞれ結合されて円環を形成することが好ましい。これにより、外套の両袖部をそれぞれ連結具により取外し、両袖の両端部を相互に結合させ、片袖よりも幅広の枕として使用可能なように円環状とすることができ、空気枕の一つのバリエーションとすることができる。
【００２３】
また、上記目的を達成するために、本発明に係る空気枕付き外套は、上記空気枕を備えることを特徴とする。
【発明の効果】
【００３１】
以上のように、本発明に係る空気枕によれば、旅行や出張などの移動の際に持ち運び易く、エアークッションにより頭部などを容易に保持できる空気枕、及び当該空気枕を備えた外套を提供することである。
【図面の簡単な説明】
【００３２】
【図１】本発明に係る空気枕の第１の実施形態である「外套の襟部に作成された空気枕」であり、内部にエアーパックが挿入された実施例及び挿入されていない実施例を示す説明図である。
【図２】図１に示す第１の実施形態の内部にエアーパックが挿入されていない実施例の場合において、空気を挿入する前と挿入した後の状態を示す説明図である。
【図３】図１に示す第１の実施形態の内部にエアーパックが挿入された実施例の場合において、空気を挿入した後の空気枕の状態を示す説明図である。
【図４】本発明に係る空気枕の第２の実施形態である「外套の袖部から作成した空気枕」の作成方法を示す説明図である。
【図５】図４に示す第２の実施形態により作成された空気枕の説明図である。
【図６】本発明に係る空気枕の第３の実施形態である「外套の両襟部から作成した空気枕」の作成方法を示す説明図である。
【図７】図６に示す第３の実施形態により作成された空気枕の説明図である。
【図８】本発明に係る空気枕の第４の実施形態である「外套の裾部から作成した空気枕」の作成方法を示す説明図である。
【図９】図８に示す第４の実施形態により作成された空気枕の説明図である。
【発明を実施するための形態】
【００３３】
（空気枕及び空気枕付き外套の第１実施形態）
以下に、図面を用いて本発明に係る空気枕１ａの実施形態につき、詳細に説明する。図１に、本発明に係る空気枕１ａ、及び空気枕付き外套２の第１実施形態を示す。図１では、空気枕付き外套２は、空気枕１ａ及び外套２から構成される。そして、図１(ａ)には、襟部４の内部に複数個のエアーパック１４（破線で示す）が挿入された実施例を示す。また、図１(ｂ)には、襟部４の内部にエアーパック１４が挿入されていない実施例を示す。なお、図１(ｂ)の下部は図１（ａ）の下部と同様であるため記載を省略する。
【００３４】
本実施形態では「外套」の一つの実施例としてダウンジャケット２の場合について説明する。従って、ダウンジャケット本体３には、破線で示されたエアーパック１４が格子状に詰め込まれている。このダウンジャケット２は、例えばナイロン素地などの生地を加工し、羽毛（ダウンフェザー）を詰めたエアーパックを生地の内部に挿入した防寒着である。なお、本実施形態での「外套」は、このダウンジャケット２に限らず、例えば、オーバーコート、オーバー、コート、ジャンパー、トレンチコートなどであっても良い。
【００３５】
図１に示すダウンジャケット２は、ダウンジャケット本体３に対して襟部４、両袖部５、裾部６が取り付けられる。このうち襟部４は、ダウンジャケット本体３に連結具７ａにて接続している。すなわち、空気枕１ａは、ダウンジャケット２の一部分を形成し、ダウンジャケット本体３に対して連結具７ａにより取外し自在に結合されている。そして、空気枕１ａは、ダウンジャケット２に接続したまま使用されても良く、ダウンジャケット２から取外されて使用されても良い。また、空気挿入口８は、使用者が外套２を着たままでも空気を挿入して膨張させ易い位置に取り付けられる。なお、図１（ａ）では、連結具７ａ及び円環形成具９ａは、ボタンである場合を記載し、図１（ｂ）では、連結具７ａ及び円環形成具９ａは、ファスナー１６である場合を記載しているが、これらに限らず、例えばジッパー、フック、マグネット、マジックテープ（登録商標）、接着テープなどの他の留め具であっても良い。
【００３６】
図２には、図１に示す第１実施形態の襟部４の内部にエアーパック１４が挿入されていない実施例の場合において、空気を挿入する前と挿入した後の状態を示す。図２(ａ)は、空気を挿入する前の状態を示す側面図であり、図２(ｃ)は、図２(ａ)を上側から見た平面図である。また、図２(ｂ)は、空気を挿入した後の状態を示す側面図であり、図２(ｄ)は、図２(ｂ)を上側から見た平面図である。このように、この実施例では、襟部４は内部にエアーパック１４が挿入されていないため、空気挿入口８からの空気の挿入により全体的に膨張して空気枕１ａとなる。
【００３７】
図３には、図１に示す第１の実施形態の襟部４の内部にエアーパック１４が挿入された実施例の場合において、空気を挿入した後の空気枕１ａの状況を示す。図３(ａ)は、空気枕１ａの平面図であり、図３(ｂ)は、円環形成具９ａをＡ−Ａ方向からみた側面図である。ダウンジャケット２の襟部４には、閉鎖された生地の内部に空気を挿入する空気挿入口８が設けられる。そして、ダウンジャケット２の襟部４には空気が挿入されて内部が膨張する。しかし、襟部４の内部にエアーパック１４が挿入されているため、図２とは異なる形状で膨張する。図３に示す実施形態では、ダウンジャケット２の襟部４は、その襟部４の両端部同士が円環形成具９ａにより結合されて円環を形成する。このように、例えば航空機や車両などの乗物において乗客が睡眠又は仮眠をする際に、円環が形成された空気枕１ａにより頭部が保持される。
【００３８】
図３(ｂ)に示すように、本実施形態の円環形成具９ａは、一方の襟部４ａの端部において縫付け部１３により結合された伸縮性布１０が、フック部１１及びループ部１２から構成されるマジックテープ（登録商標）により他方の襟部４ｂの端部に接続される。この伸縮性布１０は、伸縮自在であるため、空気枕１ａを首周りに巻いた際にその使用者の首周りのサイズや首の締め付け具合の好みに合わせて調節できる。この機能により、外套３の襟部４として使用する際、或いは外套３から取外して空気枕１単体で使用する際にも、その使用者の首周りのサイズや首の締め付け具合の好みに合わせて調節することができる。このように、伸縮性布１０をボタン、ファスナー、ジッパー、フック、マグネット、マジックテープ（登録商標）、接着テープなどの留め具と組み合わせることで頭部などを容易に保持できる空気枕１ａとすることができる。
【００３９】
このように、本発明に係る空気枕１ａは、外套３の襟部４を取外して単体の空気枕１ａとして好みの位置に設置して防寒しつつ安眠を誘う使用方法が可能となる。一方、外套３の襟部４にエアークッション機能を持たせて首周りに巻き付けて首を保持し、防寒しつつ安眠を誘う使用方法が可能となる。すなわち、使用者の趣向、或いはその場の状況に合わせて使用方法を選択することができる。
【００４０】
（空気枕及び空気枕付き外套の第２実施形態）
図４に、本発明に係る空気枕１ｂ、及び空気枕付き外套２の第２実施形態を示す。また、図５に、図４に示す空気枕付き外套２から取外された空気枕１ｂの実施形態を示す。図５(ａ)は、空気枕１ｂの平面図であり、図５(ｂ)は、円環形成具９ｂをＢ−Ｂ方向からみた側面図である。
【００４１】
図４に示すダウンジャケット２の袖部５は、ダウンジャケット本体３に連結具７ｂにより結合する。すなわち、空気枕１ｂは、ダウンジャケット２の一部分を形成し、ダウンジャケット本体３に対して連結具７ｂにより取外し自在に結合されている。そして、空気枕１ｂは、ダウンジャケット２から取外されて使用される。なお、ダウンジャケット本体３から取外される袖部５は、図４のように肩口５ｄだけではなく袖部５の任意の位置から取外されるように構成しても良い。その場合には、ダウンジャケット本体３は半袖となる。
【００４２】
図５に示すように、取外されたダウンジャケット２の袖部５は、その袖部５の両端部同士が円環形成具９ｂにより結合されて円環を形成する。ここで、円環形成具９ｂは、例えば、ボタン、ファスナー、ジッパー、フック、マグネット、マジックテープ（登録商標）、接着テープなどの留め具である。
【００４３】
取外されたダウンジャケット２の袖部５には、閉鎖された生地の内部に空気を挿入する空気挿入口８が設けられる。そして、取外されたダウンジャケット２の襟部４は空気が挿入されて内部が膨張し、エアークッションとして頭部などが保持すされる。このように、例えば航空機や車両などの乗物において乗客が睡眠又は仮眠をする際に、円環が形成された空気枕１ｂにより頭部が保持される。また、空気枕１ｂを頭部以外の腰部や膝部などに巻き付け、クッション材や保温材として使用することもできる。
【００４４】
図４に示すように、第２実施形態の外套２の袖部５の袖口５ｃには、袖口５ｃを絞るための絞り固定具１７が設けられる。これは、本実施形態における袖部５の肩口５ｄは、外套本体３に対して斜めに結合するため袖口５ｃと比較すると大きな開口部が必要となる。従って、袖部５の袖口５ｃの大きさを袖部５の肩口５ｄの大きさに合わせて製作し、袖部５の両端部同士を円環形成具９ｂにより適切に結合されて円環を形成させる。そして、袖部５を外套２の一部として使用する際には、絞り固定具１７により袖口５ｃを絞って使用させる。この絞り固定具１７により、袖部５を外套２に取り付けて使用することも、或いは袖部５を外套２から取外して空気枕１ｂとして使用することも可能となる。本実施形態における円環形成具９ｂは、伸縮性布１０と、フック部１１及びループ部１２から構成されるマジックテープ（登録商標）とから構成されるが、マジックテープ（登録商標）は、例えば、ボタン、ファスナー、ジッパー、フック、マグネット、接着テープなどの他の留め具であっても良い。
【００４５】
（空気枕及び空気枕付き外套の第３実施形態）
図６に、本発明に係る空気枕１ｃ、及び空気枕付き外套２の第３実施形態を示す。また、図７に、図６に示す空気枕付き外套２から両袖部５ａ，５ｂが取外された空気枕１ｃの実施形態を示す。図７(ａ)は、空気枕１ｃの平面図であり、図７(ｂ)は、円環形成具９ｃをＣ−Ｃ方向からみた側面図である。両袖部５ａ，５ｂが取外された外套２は、半袖の外套２となる。
【００４６】
図６に示すダウンジャケット２の両袖部５は、それぞれダウンジャケット本体３の連結具７ｃに接合する。すなわち、空気枕１ｃは、ダウンジャケット２の一部分を形成し、ダウンジャケット本体３に対して連結具７ｃにより取外し自在に結合されている。このように、ダウンジャケット２の両袖部５ａ，５ｂを用いて空気枕１ｃを製作できるので、他の実施形態に比べてより長い材料から円環を形成することができる。
【００４７】
図７に示すように、取外されたダウンジャケット２の一部分は、両袖部５ａ，５ｂのそれぞれ一部分である。そして、取外した両袖部５ａ，５ｂのそれぞれの一部分は、円環形成具９ｃにより、一方の袖部５ａの片方の端部が他方の袖部５ｂの片方の端部にそれぞれ結合されて円環を形成する。ここで、連結具７ｃ及び円環形成具９ｃは、例えば、ボタン、ファスナー、ジッパー、フック、マグネット、マジックテープ（登録商標）、接着テープなどの留め具が用いられる。
【００４８】
（空気枕及び空気枕付き外套の第４実施形態）
図８に、本発明に係る空気枕１ｄ、及び空気枕付き外套２の第４実施形態を示す。また、図９に、図８に示す空気枕付き外套２から取外された空気枕１ｄの実施形態を示す。図９(ａ)は、空気枕１ｄの平面図であり、図９(ｂ)は、円環形成具９ｃをＤ−Ｄ方向からみた側面図である。
【００４９】
図８に示すように、取外されたダウンジャケット２の裾部６は、その裾部６の両端部同士が円環形成具９ｄにより結合されて円環を形成する。このように、ダウンジャケット２の裾部６を用いて空気枕１ｄが形成でき、頭部以外の腰部や膝部などに巻き付け、クッション材や保温材として使用することもできる。ここで、連結具７ｄ、及び円環形成具９ｄには、ボタン以外に例えば、ファスナー、ジッパー、フック、マグネット、マジックテープ（登録商標）、接着テープなどの留め具が用いられても良い。
【符号の説明】
【００５０】
１ａ  空気枕（第１実施形態），１ｂ  空気枕（第２実施形態），１ｃ  空気枕（第３実施形態），１ｄ  空気枕（第４実施形態）、２  空気枕付き外套（ダウンジャケット）、３  外套（ダウンジャケット）本体、４  襟部，４ａ  一方の襟部，４ｂ  他方の襟部、５  袖部，５ａ  一方の袖部，５ｂ  他方の袖部、５ｃ  袖部の袖口，５ｄ  袖部の肩口、６  裾部、７ａ  連結具，７ｂ  連結具，７ｃ  連結具，７ｄ  連結具、８  空気挿入口、９ａ  円環形成具，９ｂ  円環形成具，９ｃ  円環形成具，９ｄ  円環形成具、１０  伸縮性布、１１  フック部、１２  ループ部、１３  縫付け部、１４  エアーパック、１６  ファスナー、１７  絞り固定具。
【要約】
【課題】旅行や出張などの移動の際に持ち運び易く、エアークッションにより頭部などを容易に保持できる空気枕、及び当該空気枕を備えた外套を提供する。
【解決手段】本空気枕１ａは、ダウンジャケットなどの外套２の一部である襟部４に形成され、外套本体３とは連結具７ａにより取外し自在に結合され、襟部４は、襟端部同士が円環形成具９ａにより結合されて円環を形成し、襟部４に設けられた空気挿入口８から空気が挿入されてエアークッションとなる。そして、本空気枕１ａは外套本体３に取り付けられた状態で空気を挿入して使用するか、又は外套２から取外された状態で空気を挿入して使用するかが選択自在である。また、外套２は、襟部４において連結具７ａにより取外し自在に結合された空気枕１ａを備える。
【選択図】図１【図１】
0005753934.tif 000002
【図２】
0005753934.tif 000003
【図３】
0005753934.tif 000004
【図４】
0005753934.tif 000005
【図５】
0005753934.tif 000006
【図６】
0005753934.tif 000007
【図７】
0005753934.tif 000008
【図８】
0005753934.tif 000009
【図９】
0005753934.tif 000010